(57)【要約】【課題】電線の収容高さ内にバックル部を収める標準化作業が容易となり、高品質な電線保護構造が簡単な作業で得られるプロテクタの電線結束構造を提供する。【解決手段】プロテクタ１１の電線結束構造は、電線１３を収納可能な筒体を形成する本体１５および蓋体１７と、収容された電線１３と交差する方向に並んで本体１５に穿設された一対のバンド挿通孔６５ａ，６５ｂと、一方のバンド挿通孔６５ａを含んで本体１５に画成され、結束バンド６１のバックル部６７を電線１３の収容高さＤよりも低く収容するためのバンド結束用空間部７１と、蓋体１７に形成され、蓋体１７が本体１５に取り付けられたときにバンド結束用空間部７１を閉塞する結束空間閉鎖板部９１と、を備える。【選択図】図６
2014023218.tif 000002
【特許請求の範囲】
【請求項１】
互いに組み合わされることにより電線を収納可能な筒体を形成する本体および蓋体と、
収容された前記電線と交差する方向に並んで前記本体に穿設された一対のバンド挿通孔と、
一方の前記バンド挿通孔を含んで前記本体に画成され、結束バンドのバックル部を前記電線の収容高さよりも低く収容するためのバンド結束用空間部と、
前記蓋体に形成され、前記蓋体が前記本体に取り付けられたときに前記バンド結束用空間部を閉塞する結束空間閉鎖板部と、
を備えることを特徴とするプロテクタの電線結束構造。
【請求項２】
前記バンド結束用空間部が、前記バックル部およびバンド結束工具の結束先端部を挿入可能な大きさで形成されていることを特徴とする請求項１に記載のプロテクタの電線結束構造。
【発明の詳細な説明】
【技術分野】
【０００１】
本発明は、本体および蓋体を互いに組み合わせて電線を収納可能な筒体を形成するプロテクタの電線結束構造に関する。
【背景技術】
【０００２】
自動車用ワイヤハーネス（電線）を保護して車体パネル等に取り付けられるワイヤハーネス用のプロテクタが知られている（例えば特許文献１参照）。
図７に示すこの種のワイヤハーネス用のプロテクタ５０１は、プロテクタ本体５０３が樋形状に形成され、端部壁面５０５に複数の挿通孔５０７が穿設されている。結束バンド５０９は帯状で、両端部がプロテクタ本体５０３の各挿通孔５０７を介して内部に挿通され、内部に配設される複数の電線５１１からなるワイヤハーネス５１３の周囲を保持する。バンド部５１５の一端にはバックル部５１７が備えられ、このバックル部５１７にロック孔５１９を形成した構成になっている。ロック孔５１９の内部には爪が設けられており、バンド部５１５をロック孔５１９に差し込むと、バンド部５１５の表面に形成された凹凸５２１に爪が係合することにより、バンド部５１５がロックされる構造になっている。
【先行技術文献】
【特許文献】
【０００３】
【特許文献１】特開平８−３３１５６号公報
【発明の概要】
【発明が解決しようとする課題】
【０００４】
しかしながら、プロテクタ５０１に収容された電線５１１を結束バンド５０９によってプロテクタ本体５０３に固定する際、バックル部５１７の向きや位置は、作業者によって区々であり、電線保護構造の品質にばらつきがあった。また、車両レイアウトの都合で、隙間の無いプロテクタ取り付け箇所においては、結束バンド５０９のバックル部５１７の向きを規制しなければならない。そこで、例えば図８に示すようなバックル部５１７の配置範囲Ａを指定する管理項目に基づいて、組み付け作業が行われていた。更に、車両床部に取り付けられるプロテクタ５０１では、高さ方向の寸法Ｈを極力小さくしたい要請があり、この場合にはバックル部５１７が電線５１１よりも上方に配置されないようにした管理項目に基づいて、組み付け作業が行われていた。このため、作業上の管理項目が増える等、気遣い作業（煩雑な作業）を強いられることになり、電線５１１の組み付け作業者に負担を掛けていた。
【０００５】
本発明は上記状況に鑑みてなされたもので、その目的は、電線の収容高さ内にバックル部を収める標準化作業が容易となり、高品質な電線保護構造が簡単な作業で得られるプロテクタの電線結束構造を提供することにある。
【課題を解決するための手段】
【０００６】
本発明に係る上記目的は、下記構成により達成される。
（１）  互いに組み合わされることにより電線を収納可能な筒体を形成する本体および蓋体と、収容された前記電線と交差する方向に並んで前記本体に穿設された一対のバンド挿通孔と、一方の前記バンド挿通孔を含んで前記本体に画成され、結束バンドのバックル部を前記電線の収容高さよりも低く収容するためのバンド結束用空間部と、前記蓋体に形成され、前記蓋体が前記本体に取り付けられたときに前記バンド結束用空間部を閉塞する結束空間閉鎖板部と、を備えることを特徴とするプロテクタの電線結束構造。
【０００７】
上記（１）の構成のプロテクタの電線結束構造によれば、本体に穿設された一対のバンド挿通孔の一方に、本体の表側に画成されたバンド結束用空間部側から結束バンドのバンド先端が挿入される。バンド先端は、本体の裏側に抜けた後、他方のバンド挿通孔から再び本体の表側に引き出される。結束バンドは、本体の表側に引き出されたバンド先端が、ループ状となったバンド部の内側で本体に収容された電線を包囲した後、バンド結束用空間部に配置されたバンド後端のバックル部に通されて引き出されることで、電線を本体に結束する。本体に固定された結束バンドは、電線を結束しつつ、バックル部が本体に接して電線の収容高さよりも低くバンド結束用空間部に配置される。
そこで、仮に、結束バンドのバックル部がバンド結束用空間部に収まるように適正に配置されておらず、電線の収容高さよりも高く上方に突出していると、蓋体の結束空間閉鎖板部がバックル部に干渉し、蓋体の取り付けが不能となる。これにより、結束バンドが正規に取り付けられていないことを作業者は感知できる。また、いずれの作業者によっても、結束バンドのバックル部をバンド結束用空間部に配置することができるので、電線固定作業におけるバックル部の向きや位置を標準化することができ、電線保護構造の品質にばらつきが生じるのを防止できる。
【０００８】
（２）  上記（１）の構成のプロテクタの電線結束構造であって、前記バンド結束用空間部が、前記バックル部およびバンド結束工具の結束先端部を挿入可能な大きさで形成されていることを特徴とするプロテクタの電線結束構造。
【０００９】
上記（２）の構成のプロテクタの電線結束構造によれば、結束バンドがバンド結束工具を用いて結束される場合、バンド結束工具の結束先端部をバンド結束用空間部の空間部底面に直接押し当てて作業することが可能となり、高品質な電線保護構造をより簡便な作業で得ることができる。
【発明の効果】
【００１０】
本発明に係るプロテクタの電線結束構造によれば、電線の収容高さ内にバックル部を収める標準化作業が容易となり、高品質な電線保護構造を簡単な作業で得ることができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明の一実施形態に係るプロテクタの電線結束構造に用いられる本体の斜視図である。
【図２】図１に示した本体に取り付けられる蓋体の裏面側の斜視図である。
【図３】図１に示した本体を同図のＢ方向から見た斜視図である。
【図４】図１に示したバンド結束用空間部の拡大斜視図である。
【図５】図４に示したバンド結束用空間部に蓋体の結束空間閉鎖板部が配置された状態を示す拡大斜視図である。
【図６】本発明の一実施形態に係るプロテクタの電線結束構造を表す横断面図である。
【図７】従来のプロテクタの電線結束構造を表す斜視図である。
【図８】従来の電線結束構造におけるバックル部の配置範囲を表す説明図である。
【発明を実施するための形態】
【００１３】
以下、本発明に係る実施形態を図面を参照して説明する。
図１及び図２に示すように、本実施形態に係るプロテクタ１１の電線結束構造は、互いに組み合わされて電線１３（図６参照）を収納可能な筒体を形成する本体１５および蓋体１７を有する。本体１５は、電線１３を挟み互いに離間する両側部１９を有する。両側部１９は、電線１３に沿って長尺の底板部２１の長手方向に沿う両側から起立している。つまり、本体１５は、長手方向に直交する断面形状が、上方を開放されたコ字形状となる。この上方の開放部分は、本体１５内方の電線収容空間２３（図１参照）を開放する本体開口部２５となる。
【００１４】
本実施形態において、本体１５には２本の電線１３が収容される。底板部２１には両側部１９の中間部に隔壁部２７が起立して設けられ、隔壁部２７は電線収容空間２３を長手方向に沿って二分割している。本実施形態において、本体１５には２本の電線１３が収容されるが、本発明に係るプロテクタは、１本の電線１３、或いは３本以上の電線１３が収容されるものであってもよい。また、電線は、複数の電線１３を束状に纏めた電線束であってもよい。
【００１５】
本体１５は、直線状に形成されてもよく、本実施形態のように湾曲して形成されてもよい。図1及び図３に示すように、本体１５の長手方向一端側には一端側電線導出入部２９が形成され、本体１５の長手方向他端側には他端側電線導出入部３１が形成される。本体１５には、一端側電線導出入部２９の外側に、車体固定用ブラケット部３３が設けられている。車体固定用ブラケット部３３には、車体固定用係止孔３５が形成されている。
【００１６】
蓋体１７は、本体１５の平面視の形状、即ち、本体開口部２５に倣った形状に形成される。図２に示すように、蓋体１７は、電線１３に沿う両側に、蓋体縁部３７が形成されている。この蓋体縁部３７は、本体１５における両側部１９の内側に挿入される。
【００１７】
本体１５および蓋体１７には、双方の長手方向に沿って複数のロック部４１が設けられている。ロック部４１は、本体１５の両側部１９および蓋体１７の両側縁３９を相互に係合する。ロック部４１は、本体１５および蓋体１７の長手方向に沿って所定間隔で配置されている。ロック部４１は、両側部１９のそれぞれに設けられる受け部４３と、蓋体１７の両側縁３９のそれぞれに設けられ受け部４３に挿入係合される係合片４５と、からなる。受け部４３は、両側部１９の外側面４７に設けられている。
【００１８】
受け部４３は、両側部１９の外側面４７に、中空板体状となって突出している。この中空板体状の上面は、係合片挿入開口部４９（図１参照）となって矩形状に開口している。受け部４３は、一部分が切欠部５１となって切り欠かれることで外方に開放される。つまり、係合片挿入開口部４９は、受け部４３の内方から外方へ開放される。受け部４３は、切欠部５１の上方が係合梁部５３となる。
【００１９】
蓋体１７の両側縁３９のそれぞれに設けられる係合片４５は、蓋体縁部３７の外側に位置する両側縁３９から本体１５に向かって突出される。この係合片４５の外面には図２に示す係合爪５５が突設され、係合爪５５は係合片挿入開口部４９に係合片４５が挿入されることで、係合梁部５３（図１参照）に係合して、係合片４５を受け部４３に抜け止めする。
【００２０】
本実施形態に係る本体１５の長手方向略中央部には、矩形状に開放される筒部５７が、隔壁部２７を分断して形成されている。蓋体１７には、この筒部５７に一致する矩形穴５９が形成されている。矩形穴５９は、蓋体１７が本体１５に取り付けられることで筒部５７に一致し、筒部５７の内方を閉鎖することなく外方へ開放する。
【００２１】
図４に示すように、本体１５の底板部２１には、結束バンド６１（図６参照）のバンド部６３を挿通可能とする一対のバンド挿通孔６５ａ，６５ｂが穿設されている。これらバンド挿通孔６５ａ，６５ｂは、図６に示すように、本体１５に収容された電線１３と交差する方向（本実施形態では、直交する方向）に並んで本体１５に配置される。
結束バンド６１は帯状で、両端部が本体１５のバンド挿通孔６５ａ，６５ｂを介して内部に挿通され、内部に配設される電線１３を本体１５に結束する。バンド部６３のバンド後端にはバックル部６７が備えられ、このバックル部６７にロック孔６９を形成した構成になっている。ロック孔６９の内部には爪が設けられており、バンド部６３のバンド先端をロック孔６９に差し込むと、バンド部６３の表面に形成された凹凸に爪が係合することにより、バンド部６３がロックされる構造になっている。
【００２２】
ここで、本実施形態に係るプロテクタ１１では、一方のバンド挿通孔６５ａを含んで本体１５にバンド結束用空間部７１が画成されている。バンド結束用空間部７１は、結束バンド６１のバックル部６７を電線１３の収容高さ（本実施形態では、電線収容空間２３の高さと同等）Ｄよりも低く収容するための空間である。本体１５の他端側電線導出入部３１（図１参照）には両側部１９の一方に沿って、底板部２１よりも高くなった（浮上した）上段部７３が設けられている。バンド結束用空間部７１は、この上段部７３の上段面７５に凹設されている。従って、底板部２１と、バンド結束用空間部７１の空間部底面７７とは略同一平面状となる。
【００２３】
バンド結束用空間部７１に穿設された一方のバンド挿通孔６５ａは、図４に示す一対のガイド壁８１によって挟まれている。これらガイド壁８１は、結束バンド６１のバンド部６３を幅方向から挟み、バンド部６３の幅方向の移動を規制する。バンド結束用空間部７１は、両側部１９の一方に形成された側部分断部８３によって電線収容空間２３に連通している。また、結束バンド６１の側部分断部８３と同じ周回経路に位置する隔壁部２７には、凹状切欠部８５が形成されている。これら側部分断部８３および凹状切欠部８５は、電線１３を包囲して結束するバンド部６３との干渉を回避するためのものである。
【００２４】
本実施形態において、バンド結束用空間部７１は、バックル部６７およびバンド結束工具８７の結束先端部８９を挿入可能な大きさで形成されている。つまり、バンド結束用空間部７１は、バンド結束工具８７に装着されたバックル部６７が、バンド結束工具８７の結束先端部８９ごと挿入可能な大きさを有している。バンド結束工具８７の結束先端部８９は、例えば角柱形状に形成される。バンド結束用空間部７１は、この角柱形状の結束先端部８９が挿入可能な略相似形状に形成される。バンド結束工具８７は、手動式結束工具または空圧式結束工具のいずれであってもよい。
【００２５】
図２に示すように、本体１５の本体開口部２５を覆う蓋体１７には、結束空間閉鎖板部９１が膨出形成されている。結束空間閉鎖板部９１は、蓋体１７を本体１５に取り付けたときに、バックル部６７を収容したバンド結束用空間部７１を閉塞するよう矩形状に形成されている。本実施形態の結束空間閉鎖板部９１は、図５に示すように、蓋体１７と同一平面で形成されている。
【００２６】
次に、上記構成のように構成されるプロテクタ１１の電線結束構造の作用を説明する。
本実施形態に係るプロテクタ１１の電線結束構造では、本体１５に穿設された一対のバンド挿通孔６５ａ，６５ｂのうち一方のバンド挿通孔６５ａに、本体１５の表側に画成されたバンド結束用空間部７１側から結束バンド６１のバンド先端が挿入される。バンド先端は、本体１５の裏側に抜けた後、他方のバンド挿通孔６５ｂから再び本体１５の表側に引き出される。結束バンド６１は、本体１５の表側に引き出されたバンド先端が、ループ状となったバンド部６３の内側で本体１５に収容された２本の電線１３を包囲した後、バンド結束用空間部７１に配置されたバンド後端のバックル部６７に通されて引き出されることで、これら電線１３を本体１５に結束する。本体１５に固定された結束バンド６１は、電線１３を結束しつつ、図６に示すように、バックル部６７が本体１５に接して電線１３の収容高さＤよりも低くバンド結束用空間部７１に配置される。即ち、電線１３の収容高さＤがバックル部６７の高さｈよりも大きければ、バックル部６７が電線１３の収容高さＤよりも上方に突出することはない。
【００２７】
そこで、仮に、結束バンド６１のバックル部６７がバンド結束用空間部７１に収まるように適正に配置されておらず、電線１３の収容高さＤよりも高く上方に突出していると、電線１３に近接して本体１５に取り付けられる蓋体１７の結束空間閉鎖板部９１がバックル部６７に干渉し、蓋体１７の取り付けが不能となる。これにより、結束バンド６１が正規に取り付けられていないことを作業者は感知できる。
また、いずれの作業者によっても、結束バンド６１のバックル部６７をバンド結束用空間部７１に配置することができるので、電線固定作業におけるバックル部６７の向きや位置を標準化することができ、電線保護構造の品質にばらつきが生じるのを防止できる。
【００２８】
また、本実施形態に係るプロテクタ１１の電線結束構造では、結束バンド６１がバンド結束工具８７を用いて結束される場合、バンド結束工具８７の結束先端部８９（図６参照）をバンド結束用空間部７１の空間部底面７７に直接押し当てて作業することが可能となる。これにより、高品質な電線保護構造をより簡便な作業で得ることができる。
【００２９】
従って、本実施形態に係るプロテクタ１１の電線結束構造によれば、車両レイアウトの都合で隙間の無いプロテクタ取り付け箇所にプロテクタ１１を組み付けたり、高さ方向の寸法を極力小さくしたい車両床部にプロテクタ１１を取り付けたりする際にも、電線１３の収容高さＤ内に結束バンド６１のバックル部６７を収める標準化作業が容易となり、高品質な電線保護構造を簡単な作業で得ることができる。
なお、本発明のプロテクタの電線結束構造は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３０】
１１…プロテクタ
１３…電線
１５…本体
１７…蓋体
４１…ロック部
６１…結束バンド
６５ａ，６５ｂ…バンド挿通孔
６７…バックル部
７１…バンド結束用空間部
８７…バンド結束工具
８９…結束先端部
９１…結束空間閉鎖板部
【図１】
2014023218.tif 000003
【図２】
2014023218.tif 000004
【図３】
2014023218.tif 000005
【図４】
2014023218.tif 000006
【図５】
2014023218.tif 000007
【図６】
2014023218.tif 000008
【図７】
2014023218.tif 000009
【図８】
2014023218.tif 000010